(57)【要約】【課題】点眼液の残量が少なくなっても、残量の多い状態と同じように点眼液を前を向いた状態で最後まで点眼できる点眼補助具を提供する。【解決手段】本発明の点眼補助具（１００）は、一端にてカップ（４０）により点眼液の投与すべき位置を決めた状態でノズル部（１４）が容器本体（１１）よりも下になるように、点眼容器（１０）を固定し、他端にて点眼液吐出用のレバー（３０）を回動自在に支持する補助具本体（２０）を備えている。【選択図】図１
2017006656.tif 000002
【特許請求の範囲】
【請求項１】
点眼液を収容した容器本体と、レバーを被投与者が押下することで上記容器本体に収容された点眼液を吐出孔から吐出させる押下部とを有する点眼容器を用いて、当該被投与者が上を向かない状態で点眼液を投与するための点眼補助具であって、
上記点眼容器を支持するとともに、上記レバーを回動自在に支持する補助具本体を含み、
上記レバーは、上記補助具本体側に回動したときに上記押下部を押下し、
上記補助具本体は、位置決め部により上記被投与者の眼に対して上記吐出孔の位置を決めた状態で上記吐出孔が上記容器本体よりも下になるように、上記点眼容器を支持することを特徴とする点眼補助具。
【請求項２】
上記補助具本体は、
一端側にて上記点眼容器を支持し、他端側にて上記レバーを回動自在に支持することを特徴とする請求項１に記載の点眼補助具。
【請求項３】
上記補助具本体は、
一端側にて上記レバーを回動自在に支持し、他端側に上記被投与者が把持する把持部を有し、上記レバーを支持した位置と上記把持部との間にて上記点眼容器を支持することを特徴とする請求項１に記載の点眼補助具。
【請求項４】
上記位置決め部は、カップで形成されたカップ部材からなり、
上記カップは、底面に貫通孔が形成され、当該貫通孔が上記吐出孔に連通するように上記補助具本体に取り付けられていることを特徴とする請求項１〜３の何れか１項に記載の点眼補助具。
【請求項５】
上記位置決め部は、
上記補助具本体の一端に形成された、上記吐出孔を露出するように開口された開口部の開口縁部であることを特徴とする請求項１〜３の何れか１項に記載の点眼補助具。
【請求項６】
上記押下部に上記吐出孔が形成されており、
上記押下部の押下方向と、上記吐出孔が点眼液を吐出する吐出方向とが平行でないことを特徴とする請求項１〜５の何れか１項に記載の点眼補助具。
【請求項７】
上記押下方向と上記吐出方向とがなす角度は、９０°以下であることを特徴とする請求項６に記載の点眼補助具。
【発明の詳細な説明】
【技術分野】
【０００１】
本発明は、点眼の補助を行うための点眼補助具に関する。
【背景技術】
【０００２】
患者の眼に点眼液を投与する方法としては、点眼液を眼に滴下する方法が一般的である。この方法の場合、患者は、顔を上向きにする必要がある。しかしながら、患者が顔を上向きにすることが困難である場合には、点眼液を患者の眼に適切に投与することはできず、このような患者に対して適切に点眼液を投与するためには、患者を仰向けに寝かせた状態で点眼液を滴下することになる。
【０００３】
そこで、患者が前を向いた状態で、眼に点眼液を投与するために、例えば特許文献１には、眼流体用アプリケーターが開示されている。
【先行技術文献】
【特許文献】
【０００４】
【特許文献１】特表２００２−５０２２８９号公報（２００２年１月２２日公表）
【発明の概要】
【発明が解決しようとする課題】
【０００５】
しかしながら、患者が前を向いた状態で、眼に点眼液を投与する場合、容器の形状によっては、点眼液を最後まで使うことができなかった。例えば、特許文献１に開示された眼流体用アプリケーターでは、使用する点眼容器のノズル部分の開口孔と容器本体の底面の中心とは同一軸（流体送達軸）上に存在するため、点眼液の残量が少なくなればなるほど、その分だけ顔を上向きにしなければならず、患者の要望に応えられなくなってしまうという問題があり、また、点眼液の残量が多い状態と同じように前を向いた状態では投与することができず、容器本体に収容された点眼液が最後まで使えないという問題が生じる。
【０００６】
本発明は、上記問題点に鑑みなされたものであって、その目的は、点眼液の残量が少なくなっても、残量の多い状態と同じように前を向いた状態で投与でき、容器本体に収容された点眼液を最後まで使えるという上を向けない患者の要望を満たすことができる点眼補助具を提供することにある。なお、本発明の点眼補助具は、人への点眼液の投与だけに限定されず、眼病を患っている動物にも適用できる。
【課題を解決するための手段】
【０００７】
上記の課題を解決するために、本発明の点眼補助具は、点眼液を収容した容器本体と、レバーを被投与者が押下することで上記容器本体に収容された点眼液を吐出孔から吐出させる押下部とを有する点眼容器を用いて、当該被投与者が上を向かない状態で点眼液を投与するための点眼補助具であって、上記点眼容器を支持し、上記レバーを回動自在に支持する補助具本体を含み、上記レバーは、上記補助具本体側に回動したときに上記押下部を押下し、上記補助具本体は、位置決め部により上記被投与者の眼に対して上記吐出孔の位置を決めた状態で上記吐出孔が上記容器本体よりも下になるように、上記点眼容器を支持することを特徴としている。
【０００８】
上記構成によれば、点眼容器が、補助具本体に、位置決め部材により点眼液の投与すべき位置を決めた状態で点眼液の吐出位置が容器本体よりも下になるように固定されているので、患者の顔の向きが多少変動しても、容器本体に収容された点眼液を最後まで使うことができる。
【０００９】
従って、容器本体に収容された点眼液を最後まで使うための容器構造の一種であるデラミ構造の容器を用いなくても、一般的な容器を用いて、顔を上に向けずに継続的に点眼液を投与することができる。
【００１０】
しかも、補助具本体には、点眼液吐出部を押下して点眼液を吐出させるためのレバーが回動自在に支持されているので、このレバーを利用すれば、レバーを使用しないで直接点眼液吐出部を押下する場合よりも少ない力で簡単に点眼容器から点眼液を吐出させることができる。
【００１１】
上記補助具本体は、一端側にて上記点眼容器を支持し、他端側にて上記レバーを回動自在に支持するようにしてもよい。
【００１２】
これにより、少ない力で点眼容器から点眼液を吐出させることができる。
【００１３】
上記補助具本体は、一端側にて上記レバーを回動自在に支持し、他端側に上記被投与者が把持する把持部を有し、上記一端と上記把持部との間にて上記点眼容器を支持するようにしてもよい。
【００１４】
これにより、点眼容器の支持位置がレバーの支点の位置に近くなるので、レバーにかかる力をより少なくでき、その結果、少ない力で点眼容器から点眼液を吐出させることができる。
【００１５】
上記位置決め部は、カップで形成されたカップ部材からなり、上記カップ部材は、底面に貫通孔が形成され、当該貫通孔が上記点眼容器の点眼液が吐出する吐出孔に連通するように上記補助具本体に取り付けられていることが好ましい。
【００１６】
上記構成によれば、カップ部材を眼の周囲に当てるだけで、眼に対して上記押下部の吐出孔の位置を簡単に決めることができる。
【００１７】
上記位置決め部は、上記補助具本体の一端に形成された、上記吐出孔を露出するように開口された開口部の開口縁部であることが好ましい。
【００１８】
上記構成によれば、開口部の開口縁部を眼の周囲に当てるだけで、眼に対して上記押下部の吐出孔の位置を簡単に決めることができる。
【００１９】
上記押下部に上記吐出孔が形成されており、上記押下部の押下方向と、上記吐出孔から点眼液が吐出する吐出方向とが平行でないことが好ましい。
【００２０】
上記押下方向と上記吐出方向とがなす角度は、９０°以下であることが好ましい。
【００２１】
上記構成によれば、上記押下方向と上記吐出方向とがなす角度が９０°以下であれば、患者の眼に点眼液を確実に投与することができる。つまり、上記角度が９０°を越えれば、患者は下向きに無理をした姿勢を取ることになるため、上記角度は９０°以下が好ましい。
【発明の効果】
【００２２】
本発明は、患者（被投与者）の顔の向きが幾分変動しても問題なく点眼することができ、また、点眼液の残量が少なくなっても、残量が多い状態と同じように前を向いたままで点眼液を投与でき、容器本体に収容された点眼液を最後まで使うことを可能にするという効果を奏する。
【図面の簡単な説明】
【００２３】
【図１】本発明の実施形態１に係る点眼補助具の概略構成図である。
【図２】図１に示す点眼補助具で用いられる点眼容器の概略構成図である。
【図３】図１に示す点眼補助具の補助具本体を示す概略斜視図である。
【図４】（ａ）は、図３に示す補助具本体の上面図、（ｂ）は、図３に示す補助具本体の一部断面の側面図である。
【図５】図１に示す点眼補助具のレバーを示す概略斜視図である。
【図６】（ａ）は、図５に示すレバーの上面図、（ｂ）は、図５に示すレバーの側面図である。
【図７】図１に示す点眼補助具のカップを示す概略斜視図である。
【図８】（ａ）は、図７に示すカップの右側面図、（ｂ）は、図７に示すカップの正面図、（ｃ）は、図７に示すカップの左側面図、（ｄ）は、図７に示すカップの上面図である。
【図９】（ａ）は、図７に示すカップを補助具本体に取り付けた状態の上面図、（ｂ）は、図７に示すカップを補助具本体に取り付けた状態の一部断面の側面図である。
【図１０】（ａ）（ｂ）は、点眼補助具の動作を説明するための図である。
【図１１】本発明の実施形態２に係る点眼補助具の他の例の概略構成図である。
【図１２】本発明の実施形態３に係る投薬管理システムの概略構成を示すブロック図である。
【発明を実施するための形態】
【００２４】
〔実施形態１〕
以下、本発明の実施形態について、詳細に説明する。
【００２５】
最初に、本発明の点眼補助具に用いられる点眼容器について説明する。
【００２６】
＜点眼容器＞
図２は、点眼容器（容器）１０の概略構成を示す図である。
【００２７】
点眼容器１０は、図２に示すように、点眼液を収容する略円筒状の容器本体１１、容器本体１１に形成されたフランジ１２、容器本体１１に対して矢印Ｘ・Ｙ方向に可動する、メカニカルポンプを内蔵した可動部材１３、容器本体１１から可動部材１３のポンプにて汲み出した点眼液を吐出する吐出孔１４ａが形成されたノズル部（押下部）１４を含んでいる。
【００２８】
上記フランジ１２を、矢印Ｘ方向に押下することで、可動部材１３が矢印Ｙ方向に移動して、容器本体１１に収容された点眼液を汲み上げて、ノズル部１４の吐出孔１４ａから点眼液が吐出される。
【００２９】
ノズル部１４は、可動部材１３によって汲み上げられた点眼液を、当該可動部材１３の可動方向（押下方向）に対して４５°傾いた方向（吐出方向）に吐出するように吐出孔１４ａが形成されている。なお、４５°の吐出方向は一例であり、９０°以下が好ましく、吐出方向の傾きは点眼補助具１００の形状等に応じて適宜設定されるものである。
【００３０】
上記構成の点眼容器１０では、容器本体１１をノズル部１４側に押し下げることで、容器本体１１の点眼液が、可動部材１３により汲み上げられ、ノズル部１４の吐出孔１４ａから外部に吐出するようになっている。例えば、点眼容器１０では、可動部材１３を可動させることにより、５〜３０μＬの点眼液を吐出孔１４ａから吐出させることができる。なお、点眼液の吐出量は、吐出孔１４ａの大きさや、補助具本体２０の形状等を変化させることにより調整することができる。
【００３１】
次に、上記構成の点眼容器１０を用いる点眼補助具について説明する。
【００３２】
＜点眼補助具の概要＞
図１は、本実施形態に係る点眼補助具１００の概略構成を示す図である。
【００３３】
点眼補助具１００は、図１に示すように、患者（点眼対象）２００に対する点眼液の投与を補助する補助具であって、補助具本体（本体）２０、レバー３０、カップ４０を含んでいる。
【００３４】
補助具本体２０は、一端にて点眼容器１０を固定し、他端にて当該点眼容器１０の点眼液を吐出させるためのレバー３０を回動自在に支持している。補助具本体２０の詳細は後述する。
【００３５】
レバー３０は、一端部３０ａにおいて点眼容器１０を補助具本体２０とで挟み込み、他端部３０ｂにおいて軸５０により補助具本体２０に回動自在に支持されている。一端部３０ａは、レバー３０が補助具本体２０側に回動したときに、補助具本体２０に固定された点眼容器１０の容器本体１１に形成されたフランジ１２に上方から当接するようになっている。レバー３０の詳細は後述する。
【００３６】
カップ４０は、補助具本体２０に取り付けられ、患者２００の眼２０１に対して上記ノズル部１４の吐出孔１４ａの位置を決めるための位置決め部を構成しているカップ部材である。カップ４０の詳細は後述する。
【００３７】
＜補助具本体＞
図３は、補助具本体２０の斜視図である。
【００３８】
図４の（ａ）は、補助具本体２０の上面図、（ｂ）は側面図である。
【００３９】
補助具本体２０は、樹脂で形成されており、図４の（ａ）に示すように、上面の長手方向に延びる所定幅の溝部２０ａが形成され、溝部２０ａの一端側に凹部２０ｂ、溝部２０ａの他端側に支持孔２０ｃが形成されている。
【００４０】
溝部２０ａは、図４の（ａ）に示すように、幅ｈ１が上述したレバー３０の幅と同じが少し広めに形成されている。これにより、レバー３０が補助具本体２０側に回動したときに、当該レバー３０が溝部２０ａにはまり込むようになる。
【００４１】
凹部２０ｂは、ノズル部１４側を挿入して容器本体１１を固定するようになっている。凹部２０ｂには、図３及び図４の（ａ）（ｂ）に示すように、ノズル部１４を固定したときに吐出孔１４ａを露出させるための開口部２０ｄが形成されている。
【００４２】
＜レバー＞
図５は、レバー３０の斜視図である。
【００４３】
図６の（ａ）は、レバー３０の上面図、（ｂ）は側面図である。
【００４４】
レバー３０は、図５に示すように、一端部３０ａが二股状に形成されており、点眼容器１０を外周面から挟み込む形状となっている。なお、図６の（ａ）に示すように、一端部３０ａの挟み込み幅ｈ２は、点眼容器１０の容器本体１１の直径よりも少し大きく、且つ、フランジ１２を含んだ直径よりも小さくなっている。これにより、レバー３０が回動して、容器本体１１の上部から移動した一端部３０ａはフランジ１２の上面で止まる。
【００４５】
レバー３０の他端部３０ｂには、支持孔３０ｃが形成されており、当該支持孔３０ｃと補助具本体２０の支持孔２０ｃとを重ねて軸５０を通すようになっている。これにより、レバー３０は、補助具本体２０に回動自在に支持される。
【００４６】
＜カップ＞
図７は、カップ４０の斜視図である。
【００４７】
図８の（ａ）〜（ｄ）は、カップ４０の４面図である。
【００４８】
図９の（ａ）（ｂ）は、カップ４０を補助具本体２０に取り付けた状態を示す図である。
【００４９】
カップ４０は、シリコン等の高分子材料で構成されており、図７に示すように、患者２００の眼２０１の周囲に接触する開口部４０ａが形成され、当該開口部４０ａと反対側に形成された貫通孔４０ｂ（図８参照）から吐出した点眼液を、患者２００の眼２０１に導くための部材である。開口部４０ａの周囲は、患者２００の眼２０１の周囲に密着できるような形状になっている。
【００５０】
上記カップ４０は、貫通孔４０ｂが上記点眼容器１０の点眼液が吐出するノズル部１４の吐出孔１４ａに連通するように上記補助具本体２０に取り付けられる。上記カップ４０の貫通孔４０ｂを通して吐出される点眼液の吐出方向は、上記点眼容器１０の点眼液吐出部であるフランジ１２が押下される方向に対して予め設定された角度に傾いた方向である。例えば図２においては、この予め設定された角度は、点眼容器１０の点眼液の吐出方向を規定した４５°に合わせて４５°となっているが、患者の要望等を考慮して、２０〜７０°の角度に予め設定することもできる。
【００５１】
カップ４０は、図８の（ａ）〜（ｄ）に示すように、開口部４０ａと反対側に補助具本体２０に固定するための取付部材４１が形成されている。取付部材４１の一端には支持孔４１ａが形成されており、この支持孔４１ａを用いて補助具本体２０に取り付けるようになっている。具体的には、図９の（ａ）（ｂ）に示すように、カップ４０の取付部材４１の支持孔４１ａに、補助具本体２０の凹部２０ｂ側の側面に形成された突起６０が嵌合されることにより、カップ４０を補助具本体２０に支持している。
【００５２】
取付部材４１を弾性のある素材で形成することで、カップ４０を補助具本体２０に取り付けるときに、取付部材４１を外側に広げるようにして、支持孔４１ａを補助具本体２０の突起６０に嵌合させる。つまり、カップ４０は、取付部材４１を用いて補助具本体２０に着脱自在に取り付けることが可能となっている。
【００５３】
このように、カップ４０は、補助具本体２０に対して着脱可能に取り付けられていることで、以下のような効果を奏する。
【００５４】
カップ４０は、図８の（ｂ）に示すように、開口部４０ａが楕円形状をしており、患者２００の眼２０１の周囲にフィットするようになっている。なお、患者２００としては、大人、子供、男性、女性などの違いを考慮して、カップ４０を患者２００の眼２０１の周囲にフィットさせるには、カップ４０の大きさや形状、すなわち開口部４０ａの大きさや形状を変更したカップ４０を複数種類用意し、必要に応じて付け替える必要がある。例えば開口部４０ａの長手方向の径ｈ３、短手方向の径ｈ４を変更したカップ４０を複数種類用意しておき、患者２００の年齢や性別に応じて適宜付け替えるようにする。これにより、患者２００の年齢や性別に応じて、カップ４０を患者２００の眼２０１の周囲にフィットさせることができる。
【００５５】
ここで、カップ４０の貫通孔４０ｂから眼２０１までの距離を短くすればより正確に点眼することが出来るが、眼２０１と接触して傷をつけたり、まつ毛と接触して先端部分が汚染される可能性がある。また、その距離をあまり長くすると、点眼液の飛ぶ力が弱い場合には、重力により放物線を描いて飛んだ点眼液が的を外す可能性も生じる。これらの理由を考慮してカップ４０の貫通孔４０ｂから眼２０１までの距離を設定する。
【００５６】
なお、本実施形態では、点眼液を適切に眼２０１に投与するために、例えば図１に示すように、カップ４０を患者２００の眼２０１の周囲にフィットさせたとき、カップ４０の貫通孔４０ｂから眼２０１までの距離を１〜２５ｍｍに、より好ましくは３〜２０ｍｍに設定する。
【００５７】
＜点眼補助具の動作説明＞
図１０の（ａ）（ｂ）は、点眼補助具１００の動作を説明するための図である。
【００５８】
まず、図１０の（ａ）に示すように、補助具本体２０に取り付けられたレバー３０を開放状態にし、点眼容器１０を補助具本体２０の所定の位置に固定する。このとき、点眼容器１０は、ノズル部１４を下にして補助具本体２０の凹部２０ｂに挿入して固定し、ノズル部１４の吐出孔１４ａを、カップ４０の貫通孔４０ｂ（図８の（ｂ））に合わせるようにして点眼容器１０を固定する。
【００５９】
次に、図１０の（ｂ）に示すように、レバー３０を補助具本体２０側、すなわち矢印Ｘ方向に回動させて、当該レバー３０の一端部３０ａを点眼容器１０のフランジ１２の上面に当接させる。この状態で、さらに、レバー３０を矢印Ｘ方向に回動させることで、フランジ１２が矢印Ｘ方向に移動することで、可動部材１３が容器本体１１に押し込まれてポンプ機能により、当該容器本体１１の点眼液を汲み上げて、ノズル部１４の吐出孔１４ａからカップ４０の貫通孔４０ｂ（図８の（ｂ））を通して吐出する。これにより、カップ４０先の患者２００の眼２０１に点眼液が投与される。
【００６０】
このように、レバー３０を補助具本体２０側に回動させるだけで、前を向いた状態で点眼液を投与できるため、例えば握力が弱い人であっても容易に点眼液を投与することが可能となる。また、上を向かずに点眼液を投与できるので、顔を上向きにして点眼液を投与することができない人であっても、点眼液の投与が可能となる。
【００６１】
なお、本実施形態では、図２に示すように、点眼容器１０において、可動部材１３の押下方向と点眼液の吐出方向とがなす角度が４５°となる位置に、ノズル部１４の吐出孔１４ａを形成している。これにともなって、カップ４０は、図１０の（ｂ）に示すように、軸５０と軸６０を通る直線と、この直線に直交する直線との間に囲まれた範囲（符号ＡとＢとの間の９０°の範囲）の中間の角度、すなわち、符号Ａ側から４５°、符号Ｂ側から４５°となるように、補助具本体２０に取り付けられている。これにより、患者２００は前を向いて眼２０１に点眼できる。なお、カップ４０からの点眼液の吐出方向は、例えば図１０の（ｂ）に示すように、符号ＡとＢとの間の９０°の範囲であればよいが、カップ４０からの点眼液の吐出方向がＢ側に近づくと、患者は下向き方向に首を曲げなければならず、苦しい姿勢で眼２０１に点眼することになる。一方、カップ４０からの点眼液の吐出方向がＡ側に近づくと、患者は上を向いて眼２０１に点眼することになり、本願発明の本来の目的（上を向かない状態で眼２０１に点眼すること）を果たせない。
【００６２】
なお、点眼容器１０の容器本体１１をデラミ構造とした場合には、図２に示すような点眼容器１０の点眼液の吐出方向を４５°の角度に傾けて点眼液を吐出させる必要はなく、この角度は特に考慮する必要はない。これは、点眼容器１０の容器本体１１をデラミ構造の場合、点眼容器のノズル部分の開口孔と容器本体の底面の中心とは同一軸（流体送達軸）上に存在しても、点眼液を最後まで使えるためである。
【００６３】
＜効果＞
上記構成の点眼補助具１００によれば、点眼容器１０が、補助具本体２０の一端に、位置決め部材であるカップ４０により点眼液の投与すべき位置を決めた状態で点眼液の吐出位置を規定するノズル部１４が容器本体１１よりも下になるように固定されているので、前を向いた状態で継続的に点眼液を投与し続ける場合でも、容器本体１１に収容された点眼液を最後まで使うことができる。
【００６４】
従って、容器本体１１に収容された点眼液を最後まで使うための容器構造の一種であるデラミ構造の容器を用いなくても、一般的な容器を用いて、顔を上に向けない状態で継続的に点眼液を投与することができる。
【００６５】
しかも、補助具本体２０の他端には、点眼液吐出部であるフランジ１２を押下して点眼液を吐出させるためのレバー３０が回動自在に支持されているので、このレバー３０を利用すれば、レバー３０を使用しないで直接フランジ１２を押下する場合よりも少ない力で簡単に点眼容器から点眼液を吐出させることができる。
【００６６】
本実施形態では、図１に示すように、レバー３０の支持位置は、補助具本体２０の形状から、下側となっているがこれに限定されるものではなく、補助具本体２０の他端であるレバー３０の支持位置が点眼容器１０の固定位置よりも上側にあってもよい。つまり、点眼容器１０の固定位置が下側、レバー３０の支持位置が上側になるように補助具本体２０の形状が図１に形状と上下逆になった点眼補助具であってもよい。この内容について、以下の実施形態２で説明する。
【００６７】
〔実施形態２〕
以下に、本発明の他の実施形態にについて説明する。なお、本実施形態においても、前記実施形態１と同じ点眼容器１０を用いた例について説明する。
【００６８】
＜点眼補助具の概要＞
図１１は、本実施形態に係る点眼補助具３００の概略構成を示す図である。
【００６９】
点眼補助具３００は、図１１に示すように、点眼液を吐出する点眼容器１０を搭載し、患者（点眼対象）２００に対する点眼液の投与を補助する補助具であって、レバー３０１、補助具本体（本体）３０２を含んでいる。
【００７０】
補助具本体３０２は、一端部に形成された開口部３０２ａの開口縁部が患者２００の眼２０１の眼２０１を覆うカップとして機能する。すなわち、開口部３０２ａが図１に示す点眼補助具１００が備えたカップ４０の代わりとなる。つまり、開口部３０２ａは、カップ４０と同様に、患者２００の眼２０１に対して点眼液を適切に吐出できるように、点眼容器１０のノズル部１４の吐出孔１４ａを露出するように開口されており、当該吐出孔１４aの位置を決めるための位置決め部として機能する。従って、開口部３０２ａは、患者２００の眼２０１の周囲に接触し、密着できるような形状になっている。また、開口部３０２ａは、患者２００への接触時の密着性を向上させるために、患者２００周囲に接触する開口縁部をシリコン等の高分子材料で構成してもよい。
【００７１】
補助具本体３０２は、開口部３０２ａ側で上記レバー３０１を回動自在に指示し、当該開口部３０２ａに近接した位置に点眼容器１０を挿入するための開口部３０２ｂが形成されると共に、当該開口部３０２ｂの上記開口部３０２ａとは反対側に上記レバー３０１の一部（他端部３０１ｂ）が入り込むための開口部３０２ｃが形成されている。
【００７２】
点眼容器１０は、点眼補助具３００の開口部３０２ａを患者２００の眼２０１の周囲に密着させた状態で、点眼液が吐出するノズル部１４の吐出孔１４ａが患者２００の眼２０１に対向するように、当該点眼補助具３００に装填される。ここで、ノズル部１４の吐出孔１４ａから眼２０１までの距離を短くすればより正確に点眼することが出来るが、眼２０１と接触して傷をつけたり、まつ毛と接触して先端部分が汚染されたりする可能性がある。また、その距離をあまり長くすると、点眼液の飛ぶ力が弱い場合には、重力により放物線を描いて飛んだ点眼液が的を外す可能性も生じる。これらの理由を考慮してノズル部１４の吐出孔１４ａから眼２０１までの距離を設定する。
【００７３】
なお、本実施形態では、点眼液を適切に眼２０１に投与するために、例えば図１１に示すように、補助具本体３０２の開口部３０２ａを患者２００の眼２０１の周囲にフィットさせたとき、ノズル部１４の吐出孔１４ａから眼２０１までの距離を１〜２５ｍｍに、より好ましくは３〜２０ｍｍに設定する。
【００７４】
レバー３０１は、一端部３０１ａが補助具本体３０２内部の開口部３０２ａと開口部３０２ｂとの間に設けられた支持軸３０３によって回動自在に支持され、他端部３０１ｂが補助具本体３０２の開口部３０２ｃから露出し、矢印Ｘ・Ｙ方向に移動可能となっている。
【００７５】
レバー３０１は、補助具本体３０２の一端部３０１ａにおいて点眼容器１０を補助具本体３０２とで挟み込み、他端部３０１ｂを矢印Ｘ・Ｙ方向に移動させることにより、当該一端部３０１ａが点眼容器１０の容器本体１１に形成されたフランジ１２に上方から当接するようになっている。
【００７６】
また、レバー３０１の他端部３０１ｂの表面（ユーザが握る側の面）には、ユーザが等間隔に凹部３０１ｃが４箇所形成されている。この凹部３０１ｃは、点眼補助具３００のレバー３０１と補助具本体３０２とを挟み込むようにユーザが握ったとき、ユーザの指が自然に収まる位置に形成されているのが好ましい。つまり、レバー３０１の凹部３０１ｃと、補助具本体３０２の開口部３０２ｃに対応する部分とでユーザが握る把持部を形成している。なお、凹部３０１ｃの個数、形状、形成位置については、これらに限定しない。
【００７７】
従って、上記補助具本体３０２は、一端側にて上記レバー３０１を回動自在に支持し、他端側に上記被投与者が把持する把持部を有し、上記レバー３０１を支持した位置と上記把持部との間にて上記点眼容器１０を支持するようになっている。
【００７８】
また、レバー３０１と補助具本体３０２とを合わせたときの上記把持部の断面形状は、楕円形状であることが好ましい。特に、レバー３０１と補助具本体３０２が対向する方向が長辺となる楕円形状が好ましい。これにより、ユーザが点眼補助具３００を握って点眼する体勢になったときに、当該点眼補助具３００が握りやすくなるため、点眼がし易くなる。
【００７９】
＜点眼補助具の動作説明＞
図１１に示すように、点眼容器１０を点眼補助具３００に装填した状態で、補助具本体３０２の開口部３０２ａを患者２００の眼２０１の周囲に密着させる。この状態で、レバー３０１を補助具本体３０２側、すなわち矢印Ｘ方向に回動させて、当該レバー３０１の一端部３０１ａ側を支点として、当該一端部３０１ａを点眼容器１０のフランジ１２の上面に当接させる。この状態で、さらに、レバー３０１を矢印Ｘ方向に回動させることで、フランジ１２が矢印Ｘ方向に移動することで、可動部材１３が容器本体１１に押し込まれてポンプ機能により、当該容器本体１１の点眼液を汲み上げて、ノズル部１４の吐出孔１４ａから吐出する。これにより、ノズル部１４の吐出孔１４ａから吐出された点眼液が患者２００の眼２０１に投与される。
【００８０】
このように、上記構成の点眼補助具３００を用いれば、前記点眼補助具１００と同様に、レバー３０１を補助具本体３０２側に回動させるだけで、被投与者は、前を向いた状態で点眼液を投与できるため、例えば握力が弱い人であっても容易に点眼液を投与することが可能となる。また、上を向かずに点眼液を投与できるので、顔を上向きにして点眼液を投与することができない人であっても、点眼液の投与が可能となる。
【００８１】
さらに、上記構成の点眼補助具３００は、補助具本体３０２に装填された点眼容器１０に近い側、すなわち点眼容器１０のフランジ１２を押下する位置に近い側に、レバー３０１の回動支点があるため、この回動支点が点眼容器１０のフランジを押下する位置よりも遠い側にある前記点眼補助具１００よりも小さな力でレバー３０１を補助具本体３０２側に回動させることができるという効果を奏する。
【００８２】
〔実施形態３〕
本発明のさらに他の実施形態について以下に説明する。なお、本実施形態では、前記実施形態１，２で説明した点眼補助具１００、３００を用いた投薬管理について説明する。
【００８３】
＜投薬管理＞
点眼補助具１００、３００等の点眼デバイスに、カメラ、ＬＥＤ（light emitting diode:発光ダイオード）ライトやセンサを組み込むことで、患者の投薬実態を把握することが出来る。
【００８４】
例えば、図１に示す点眼補助具１００のカップ４０内に、ＬＥＤライト、カメラを備えた場合、患者２００が点眼補助具１００を握ると、ＬＥＤライトが点灯し、それを見て点眼することで眼２０１を閉じないように誘導することができ、また、点眼液を吐出する時、カメラにより眼２０１の撮影を行う。このカメラ画像を蓄積することにより、患者の点眼状態を管理することもできる。図１１に示す点眼補助具３００の補助具本体３０２の開口部３０２ａにおいても、上記カップ４０と同様に、ＬＥＤライト、カメラを備えていてもよい。
【００８５】
また、点眼補助具１００、３００に装着するセンサとして、赤外線温度センサを用いることで、点眼の成否を客観的に検出することができる。具体的にはOcular Surface Thermographer（トーメイ）などに装着されているような赤外線センサを点眼補助具１００、３００のカップ４０内や開口部３０２ａの内側に組込み、点眼後数秒間の眼表面温度変化を測定する。点眼液は通常室温であり眼表面は３７℃付近であることから、点眼の瞬間は眼表面で急激な温度低下が検出される。この現象を利用して、点眼の成否を赤外線温度センサにより検出できるようにしている。
【００８６】
なお、超小型サイズのセンサとアンプからなる非接触温度計を用いて眼表面の温度を測定するようにしてもよい。この場合、応答速度が３０ｍｓｅｃと早く、液滴が入った際の眼表面の温度変化を瞬時に検知できるため、点眼の成否をより早く検出することが可能となる。
【００８７】
点眼補助具１００、３００によって点眼されたことによって得られるデータ、例えば点眼量を示すデータ、カメラによる撮影画像データ、点眼の成否を示すデータ等を、点眼した日付と対応付けて管理することで、患者の投薬実態を把握することが出来る。
【００８８】
例えば、点眼によって得られる上述したようなデータは、点眼デバイスである点眼補助具１００、３００に保存されると共にスマートフォンやパソコンと同期される。またスマートフォンやパソコンと同期されたデータは、電話回線やインターネットを通じてクラウドサーバに自動的に保管される。以下に、具体的な投薬管理システムについて説明する。
【００８９】
＜投薬管理システム＞
図１２は、点眼デバイスとして点眼補助具１００を用いた患者の点眼管理を行うための投薬管理システムの概略ブロック図を示している。なお、本投薬管理システムでは、点眼デバイスとして、図１に示す点眼補助具１００を用いる例について説明するが、図１１に示す点眼補助具３００を用いてもよい。
【００９０】
点眼補助具１００を用いた投薬管理システムは、図１２に示すように、は、上述のように、点眼補助具１００を用いるユーザ（患者）の点眼管理を行う管理者（保護者）が操作するスマートフォン（携帯端末）４０１、上記ユーザ（患者：被投与者）の点眼管理を行う管理者（医者）が操作するパーソナルコンピュータ４０２、インターネット接続されたルータ４０３、クラウドコンピュータ４０４、管理サーバ４０５を含んでいる。
【００９１】
＜点眼補助具１００の機能＞
点眼補助具１００には、専用の製剤を装着して投薬管理を行うために、時計、カウンタ、カメラ、メモリ、ＬＥＤライト、バッテリー、バッテリーインジケータ、通信機能（Ｂｌｕｅｔｏｏｔｈ（登録商標）４．０、ＷｉＦｉ（登録商標））、バーコード読取り機能、アラーム鳴動機能が搭載されている。これにより、点眼補助具１００を用いて、以下に示す基本的な投薬管理を行うことが可能となる。
【００９２】
（１）製剤の種類の判定：専用の製剤を含んだ点眼容器１０に添付されたバーコードを、カメラ及びバーコード読取り機能を用いて読取り、専用の製剤の種類を判定し、製剤の種類を、当該点眼容器１０の点眼補助具１００へ挿入時に自動記録する。
【００９３】
（２）点眼する時間のお知らせ（アラーム）：予め設定された投薬時間になると、点眼補助具１００のアラーム鳴動機能を用いて、アラームを鳴らす。この場合、点眼補助具１００を管理するスマートフォン４０１からアラームを鳴らすようにしてもよい。
【００９４】
（３）点眼した時間の記録：点眼補助具１００を用いて点眼した際に、カメラによる撮像画像データ、センサによる点眼の成否を示すデータを、点眼した日付と共に記録する。
【００９５】
（４）点眼する時の補助ライト：点眼補助具１００のレバー３０の半押し状態でカップ４０内に設けたＬＥＤライトを点灯させる。患者は、ＬＥＤライトの光を見て点眼することで目を開けることを意識する。
【００９６】
（５）デバイスのＩＤ管理：データ管理のための識別情報を設定し、取得したデータに対応付けてメモリに記録する。
【００９７】
（６）点眼カレンダー：既に記録したデータから、時系列の点眼の記録を、点眼した日時・製剤の種類・画像データ・メモなどを記した表にしたデータ（点眼カレンダー）を作成する。
【００９８】
（７）投薬履歴データ：処方した製剤の種類・履歴（投与した日時、投与量等）
（８）残滴量管理：容器内の残液量と使用可能な期間を示すことで、点眼液の残滴量管理を行う。
【００９９】
（９）点眼補助具１００のバッテリー残量管理：バッテリーインジケータにバッテリーの残量を表示する。例えばバッテリーが１年程度もつと考えた場合、バッテリー残量がなくなる１ヶ月前に警告する。
【０１００】
（１０）通信機能を用いて、スマートフォン４０１やパーソナルコンピュータ４０２とデータ通信（Ｂｌｕｅｔｏｏｔｈ又はＷｉＦｉ）を行う。
【０１０１】
＜スマートフォン４０１ができる機能＞
スマートフォン４０１として搭載している機能を用いて以下示す基本的な投薬管理を行うことが可能となる。
【０１０２】
（１）点眼デバイスとデータ通信（Ｂｌｕｅｔｏｏｔｈ又はＷｉＦｉ）を行う。
【０１０３】
（２）クラウドコンピュータ４０４からクラウドデータ（投薬管理データ）のダウンロードと、ダウンロードした投薬管理データの表示を行う。
【０１０４】
（３）カレンダー上にて投薬管理データを表示する。
【０１０５】
（４）使用している製剤の種類や残液量、残り使用可能な日数等を表示する。
【０１０６】
（５）複数種類の製剤毎に投薬時間のアラームの鳴動を行う。
【０１０７】
（６）点眼補助具１００が取得した画像データ等のクラウドへの自動アップロードを行う。
【０１０８】
＜パーソナルコンピュータ４０２の機能＞
基本的に、パーソナルコンピュータ４０２では、スマートフォン４０１ができる機能を実行することができる。パーソナルコンピュータ４０２において、スマートフォン４０１ができる機能以外でできる機能として、少なくとも以下のような機能を実行することができる。
【０１０９】
（１）クラウドコンピュータ４０４に格納されている複数患者の情報確認を行う。
【０１１０】
（２）点眼補助具１００の使用患者の製剤別の累積処方量の把握を行う。
【０１１１】
＜投薬管理システムを用いた投薬管理の実例＞
（点眼補助具１００の操作）
点眼補助具１００による製剤認識の方法として、ソフトウェアによる製剤認識を行う方法と、ハードウェアによる製剤認識を行う方法がある。なお、点眼補助具１００には、電源スイッチは存在しなく、電池が装着し、電源が有る限り駆動し続けるものとする。
【０１１２】
（１）ソフトウェアによる製剤認識の方法
点眼補助具１００は、搭載したカメラを製剤のバーコード表示部分に向けレバー３０を握る。そして、バーコードの読取り完了すると「ピピッ」と鳴る。これで製剤の種類の登録が完了する。登録完了した製剤のノズルの向きを合わせて点眼補助具１００にセットする。
【０１１３】
（２）ハードウェアによる製剤認識の方法
製剤には、製剤の種類により製剤を入れた点眼容器１０のノズル部１４に突起があり、それぞれの製剤により突起の位置が異なる。この製剤をノズル部１４のノズルの向きを合わせて点眼補助具１００にセットする。これにより、ノズル部１４に形成された突起の位置により点眼補助具１００にセットされた製剤の種類が認識され、当該点眼補助具１００に登録される。
【０１１４】
ユーザは、上記（１）または（２）の方法により、製剤の種類が認識された点眼容器１０がセットされた点眼補助具１００を軽く握り、カップ４０で目の位置へあてがう。カップ４０には瞼を強制的に開くための突起（図示しない）が付いている。この突起は、カップを押し当て少しレバーを握ると瞼を下方向に引っ張るように作用する。この状態で、点眼補助具１００を更に軽く握るとカップ４０の底についているＬＥＤライトが光る。患者はその光を見ながら点眼補助具１００を更に強く握ると、ノズル部１４のノズルの先端部から点眼剤の１滴が発射される。
【０１１５】
ここで、点眼補助具１００を強く握った瞬間に液滴が発射されると同時に、カップ４０の底面に設けられたカメラのシャッターが切れ写真が撮られる。このとき、瞬間的に複数回シャッターが切られ、複数枚の写真が撮られる。若しくは、カップ４０に設けられたセンサが液滴の通過を検知するか、液滴が目の中に入った時の眼表面温度の変化を検知することで、点眼の成否を観察することが出来る。
【０１１６】
点眼が終わると製剤を含んだ点眼容器１０を点眼補助具１００から取り外し、次の製剤を装着できるように次の製剤のバーコードを読み取り、上述した要領で、点眼する。そして、全ての製剤の点眼が終了すれば、点眼操作は完了する。
【０１１７】
次に、点眼補助具１００は、Ｂｌｕｅｔｏｏｔｈ又はＷｉＦｉによって、保護者または患者本人が操作するスマートフォン４０１とデータの同期を行う。
【０１１８】
（スマートフォン４０１の操作）
スマートフォン４０１には、投薬管理システムで用いるための点眼補助具１００専用のアプリケーションがインストールされているものとする。
【０１１９】
このアプリケーションを用いることで、スマートフォン４０１と点眼補助具１００とが通信することが可能となる。通信の際には、点眼補助具１００に割り振れたＩＤ番号をスマートフォンのアプリケーションが取得し、点眼補助具１００を認識できるようになっている。
【０１２０】
また、上記アプリケーションを用いることで、点眼補助具１００に割り振れたＩＤ番号とパスワードを使うことで電話回線により、投薬管理システム内の管理サーバ４０５とクラウドコンピュータ４０４を介して通信できるようになっている。
【０１２１】
上記アプリケーションには、カレンダー機能が設定されており処方された製剤の登録と点眼タイミングを設定することが出来るようになっている。また、点眼補助具１００と同期させることで点眼タイミングを当該点眼補助具１００にも設定できるようになっている。
【０１２２】
上記アプリケーションを用いることで、点眼補助具１００と通信し、点眼を実施した時間や製剤の種類、カメラやセンサで捉えた画像などのデータを取り込む事ができる。このようにして取り込んだデータは、点眼補助具１００もスマートフォン４０１にも約３ヶ月分以上を保存することができ、万が一通信できなくてもそれぞれのデータが保存されていくようになっている。
【０１２３】
アプリケーション実行時のスマートフォン４０１の表示画面には、カレンダー上でそれぞれの製剤が点眼できているかがマークで表示される。また、必要に応じカメラやセンサで捉えた画像や記録を確認することもできる。
【０１２４】
（クラウドサーバ）
クラウドサーバは、インターネット上でクラウドコンピュータ４０４と管理サーバ４０５とで構築されており、データベース機能と解析表示機能とを有している。クラウドサーバには、スマートフォン４０１を通して、日々若しくは一定の期間のデータがロードされる。ロードは、スマートフォン４０１上に蓄積されたデータを当該スマートフォンの表示画面に表示された「保存」をクリックすることで実行される。
【０１２５】
クラウドサーバへのアクセスは、スマートフォン４０１若しくはパーソナルコンピュータ４０２から点眼補助具１００のＩＤ番号とパスワードでアクセスすることが出来る。
【０１２６】
クラウドサーバへスマートフォン４０１からアクセスする場合は、登録されているＩＤ番号からその個人のデータのみにアクセス可能となる。医者が複数の患者のデータを閲覧したい場合は、別途アクセス権を設定しそれぞれ個人の情報を閲覧のみ可能な状況にする。例えば、医者は、パーソナルコンピュータ４０２において、クラウドデータの閲覧として、個人の点眼履歴が分かるカレンダーと画像データを表示することで確認出来る。さらに、医者は、パーソナルコンピュータ４０２において、付加情報として、各製剤の点眼回数や残液量が確認でき、製剤の残量が少なくなると処方を促す表示を確認することができる。
【０１２７】
なお、上記構成の点眼補助具１００、３００は、点眼対象として患者２００だけでなく、眼病を患っている犬や猫などの動物にも適用できる。
【０１２８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２９】
本発明は、上を向かずに点眼液を投与する点眼補助具に利用することができる。
【符号の説明】
【０１３０】
１０  点眼容器
１１  容器本体
１２  フランジ（押下部）
１３  可動部材（押下部）
１４  ノズル部（押下部）
１４ａ  吐出孔
２０  補助具本体
２０ａ  溝部
２０ｂ  凹部
２０ｃ  支持孔
２０ｄ  開口部
３０  レバー
３０ａ  一端部
３０ｂ  他端部
３０ｃ  支持孔
４０  カップ（位置決め部）
４０ａ  開口部
４０ｂ  貫通孔
４１  取付部材
４１ａ  支持孔
６０  突起
１００  点眼補助具
２００  患者（被投与者）
２０１  眼
３００  点眼補助具
３０１  レバー
３０１ａ  一端部
３０１ｂ  他端部
３０１ｃ  凹部（把持部）
３０２  補助具本体（把持部）
３０２ａ  開口部
３０２ｂ  開口部（位置決め部）
３０２ｃ  開口部
３０３  支持軸
４０１  スマートフォン
４０２  パーソナルコンピュータ
４０３  ルータ
４０４  クラウドコンピュータ（クラウドサーバ）
４０５  管理サーバ（クラウドサーバ）
【図１】
2017006656.tif 000003
【図２】
2017006656.tif 000004
【図３】
2017006656.tif 000005
【図４】
2017006656.tif 000006
【図５】
2017006656.tif 000007
【図６】
2017006656.tif 000008
【図７】
2017006656.tif 000009
【図８】
2017006656.tif 000010
【図９】
2017006656.tif 000011
【図１０】
2017006656.tif 000012
【図１１】
2017006656.tif 000013
【図１２】
2017006656.tif 000014